(57)【要約】      （修正有）【課題】本発明は、光学結像技術分野に関し、押さえ環を提供する。【解決手段】押さえ環は、光通過孔を囲む環状の本体部１と、本体部１に形成されるカット辺とを含み、本体部は、光軸を周回し且つ前記光通過孔を囲む内側壁１１と、内側壁１１の物体側に近接する縁より光軸から離間する方向に向かって延在する当接壁１２と、当接壁１２の前記内側壁１１から離間する縁より光軸方向に沿って延在し、且つ前記内側壁１１に対向して設けられる外側壁１３とを含み、当接壁１２は、内側壁１１を周回し且つ前記内側壁１１に接する当接面１２１と、当接面１２１を周回し且つ当接面１２１に接する接着剤塗布溝１２２とを含み、カット辺は、接着剤塗布溝１２２内に位置する。本発明は、このような押さえ環を有するレンズモジュールをさらに提供する。本発明に提供される押さえ環およびレンズモジュールは、組立安定性が高いという利点を有する。【選択図】図２
2020021067.tif 000002
【特許請求の範囲】
【請求項１】
光通過孔を囲む環状の本体部と、前記本体部に形成されるカット辺とを含む押さえ環であって、
前記本体部は、光軸を周回し且つ前記光通過孔を囲む内側壁と、前記内側壁の物体側に近接する縁より光軸から離間する方向に向かって延在する当接壁と、前記当接壁の前記内側壁から離間する縁より光軸方向に沿って延在し、且つ前記内側壁に対向して設けられる外側壁とを含み、
前記当接壁は、前記内側壁を周回し且つ前記内側壁に接する当接面と、前記当接面を周回し且つ前記当接面に接する接着剤塗布溝とを含み、
前記カット辺は、前記接着剤塗布溝内に位置する、ことを特徴とする押さえ環。
【請求項２】
前記接着剤塗布溝は、前記当接面の前記光軸から離間する縁より光軸方向に沿って延在する第１側面と、前記第１側面の前記当接面から離間する縁より前記光軸から離間する方向に向かって延在する第２側面とを含み、
前記カット辺は、前記第２側面に位置する、ことを特徴とする請求項１に記載の押さえ環。
【請求項３】
前記外側壁は、第２側面の前記光軸から離間する縁より像側に近づき且つ前記光軸から離間する方向に向かって延在する第１側壁と、前記第１側壁の前記第２側面から離間する縁より前記光軸から離間する方向に向かって延在する第２側壁と、前記第２側壁の前記第１側壁から離間する縁より像側に近づき且つ前記光軸方向に沿って延在する第３側壁とを含む、ことを特徴とする請求項２に記載の押さえ環。
【請求項４】
前記内側壁は、前記当接面の前記光軸に隣接する縁より物体側から離間し且つ前記光軸に近づく方向に向かって延在する第１表面と、前記第１表面の前記当接面から離間する縁より像側に近づき且つ前記光軸から離間する方向に向かって延在する第２表面とを含む、ことを特徴とする請求項１に記載の押さえ環。
【請求項５】
レンズモジュールであって、前記レンズモジュールは、請求項１〜４のいずれか１項に記載の押さえ環を含む、ことを特徴とするレンズモジュール。
【発明の詳細な説明】
【技術分野】
【０００１】
本発明は、光学結像技術分野に関し、特に押さえ環およびレンズモジュールに関する。
【背景技術】
【０００２】
科学技術の継続的な発展に伴い、電子機器が常にインテリジェント化へ進展しており、ユーザが随時に撮影する需要を満たすために、デジタルカメラに加えて、携帯型電子機器、例えばタブレットパソコン、携帯電話などにも撮像機能を有するレンズモジュールが配置されている。関連技術におけるレンズモジュールは、レンズ鏡筒と、前記レンズ鏡筒内に設けられたレンズと、隣接する２つのレンズの間に挟持される遮光シートや遮光板と、レンズの像側に設けられる押さえ環とを含み、押さえ環の当接壁がレンズに当接し、接着剤塗布の方式によって前記押さえ環を前記鏡筒に固定することで、前記レンズの固定を図る。
【発明の概要】
【発明が解決しようとする課題】
【０００３】
本発明の発明者は、従来技術において少なくとも以下の問題が存在すると見出した。即ち、押さえ環の成型中において当接壁に縦バリが発生することによって、押さえ環をレンズモジュールに組み立てた後、押さえ環とレンズとの間の当接面が平坦にならず、押さえ環とレンズとの間において相対変位が発生しやすく、レンズモジュールの組立の安定性が高くない。したがって、上記問題を解決するために、新型の押さえ環およびレンズモジュールを提供する必要がある。
【０００４】
本発明は、組立安定性が高いという利点を持つ押さえ環およびレンズモジュールを提供することを目的とする。
【課題を解決するための手段】
【０００５】
上記技術問題を解決するために、本発明の実施形態は、押さえ環を提供し、当該押さえ環は、光通過孔を囲む環状の本体部と、前記本体部に形成されるカット辺とを含み、前記本体部は、光軸を周回し且つ前記光通過孔を囲む内側壁と、前記内側壁の物体側に近接する縁より光軸から離間する方向に向かって延在する当接壁と、前記当接壁の前記内側壁から離間する縁より光軸方向に沿って延在し、且つ前記内側壁に対向して設けられる外側壁とを含み、前記当接壁は、前記内側壁を周回し且つ前記内側壁に接する当接面と、前記当接面を周回し且つ前記当接面に接する接着剤塗布溝とを含み、前記カット辺は、前記接着剤塗布溝内に位置する。
【０００６】
本発明の実施形態は、上記したような押さえ環を含むレンズモジュールをさらに提供する。
【０００７】
本発明の実施形態は、従来技術に対して、当接壁は、内側壁を周回し且つ内側壁に接する当接面と、当接面を周回し且つ当接面に接する接着剤塗布溝とを含み、カット辺は、接着剤塗布溝内に位置する。接着剤塗布溝側に押さえ環をカット分割することによって、カット分割によって押さえ環とレンズとが当接する当接面において縦バリが発生することを避け、当接面の平坦が確保されているので、レンズモジュールの移動中に、当接面が平坦でないことによって押さえ環とレンズとの間に相対変位が発生することがなく、レンズモジュールの組立安定性を向上させる。
【０００８】
また、前記接着剤塗布溝は、前記当接壁の前記光軸から離間する縁より光軸方向に沿って延在する第１側面と、前記第１側面の前記当接壁から離間する縁より前記光軸から離間する方向に向かって延在する第２側面とを含み、前記カット辺は、前記第２側面に位置する。接着剤塗布溝内に接着剤を塗布することによって、押さえ環とレンズとを固定することができ、レンズモジュールの安定性をさらに向上させる。
【０００９】
また、前記外側壁は、第２側面の前記光軸から離間する縁より像側に近づき且つ前記光軸から離間する方向に向かって延在する第１側壁と、前記第１側壁の前記第２側面から離間する縁より前記光軸から離間する方向に向かって延在する第２側壁と、前記第２側壁の前記第１側壁から離間する縁より像側に近づき且つ前記光軸方向に沿って延在する第３側壁とを含む。
【００１０】
また、前記内側壁は、前記当接面の前記光軸に隣接する縁より物体側から離間し且つ前記光軸に近づく方向に向かって延在する第１表面と、前記第１表面の前記当接面から離間する縁より像側に近づき且つ前記光軸から離間する方向に向かって延在する第２表面とを含む。
【図面の簡単な説明】
【００１１】
【図１】本発明の第１実施形態に提供される押さえ環の断面図である。
【図２】本発明の第１実施形態に提供される押さえ環のＡ箇所における部分拡大図である。
【図３】本発明の第２実施形態に提供されるレンズモジュールの断面図である。
【発明を実施するための形態】
【００１２】
以下、本発明の目の、技術案及び利点をより明瞭にするために、図面を参照しながら、本発明の各実施形態をより詳しく説明する。ただし、本発明の各実施形態において、当業者が本発明をよりよく理解するために多くの技術の詳細が提出されるが、これらの技術の詳細と下記各実施形態に基づく種々の変更及び修正がなくても、本発明の特許請求の範囲において請求される技術案を実現し得ることは、当業者に理解されるべきである。
【００１３】
本発明の第１実施形態は、図１や図２に示すように、押さえ環１００に関する。
【００１４】
押さえ環１００は、光通過孔１０を囲む環状の本体部１と、本体部１に形成されるカット辺２とを含み、本体部１は、光軸ＯＯ｀を周回し且つ光通過孔１０を囲む内側壁１１と、内側壁１１の物体側に近接する縁より光軸ＯＯ｀から離間する方向に向かって延在する当接壁１２と、当接壁１２の内側壁１１から離間する縁より光軸ＯＯ｀方向に沿って延在し、且つ内側壁１１に対向して設けられる外側壁１３とを含み、当接壁１２は、内側壁１１を周回し且つ内側壁１１に接する当接面１２１と、当接面１２１を周回し且つ当接面１２１に接する接着剤塗布溝１２２とを含み、カット辺２は、接着剤塗布溝１２２内に位置する。
【００１５】
本発明の実施形態は、従来技術に対して、当接壁１２は、内側壁１１を周回し且つ内側壁１１に接する当接面１２１と、当接面１２１を周回し且つ当接面１２１に接する接着剤塗布溝１２２とを含み、カット辺２は、接着剤塗布溝１２２内に位置する。接着剤塗布溝１２２側に押さえ環１００をカット分割することによって、カット分割によって押さえ環１００とレンズとが当接する当接面１２１において縦バリが発生することを避け、当接面１２１が平坦であることが確保されているので、レンズモジュールの移動中に、当接面が平坦でないことによって押さえ環１００とレンズとの間に相対変位が発生することがなく、レンズモジュールの組立安定性を向上させる。
【００１６】
具体的には、接着剤塗布溝１２２は、当接面１２１の光軸ＯＯ｀から離間する縁より光軸ＯＯ｀方向に沿って延在する第１側面１２２１と、第１側面１２２１の当接面１２１から離間する縁より光軸ＯＯ｀から離間する方向に向かって延在する第２側面１２２２とを含み、カット辺２は、第２側面１２２２に位置する。本実施形態では、アセトンで接着することによって、押さえ環１００とレンズとを接着することができ、レンズモジュールの安定性をより向上させることは、理解され得ることである。
【００１７】
なお、外側壁１３は、第２側面１２２２の光軸ＯＯ｀から離間する縁より像側に近づき且つ光軸ＯＯ｀から離間する方向に向かって延在する第１側壁１３１と、第１側壁１３１の第２側面１２２２から離間する縁より光軸ＯＯ｀から離間する方向に向かって延在する第２側壁１３２と、第２側壁１３２の第１側壁１３１から離間する縁より像側に近づき且つ光軸ＯＯ｀方向に沿って延在する第３側壁１３３とを含む。
【００１８】
なお、内側壁１１は、当接面１２１の光軸ＯＯ｀に隣接する縁より物体側から離間し且つ光軸ＯＯ｀に近づく方向に向かって延在する第１表面１１１と、第１表面１１１の当接面１２１から離間する縁より像側に近づき且つ光軸ＯＯ｀から離間する方向に向かって延在する第２表面１１２とを含む。
【００１９】
本発明の第２実施形態は、レンズモジュール２００に関し、図３に示すように、レンズモジュール２００は、上述した押さえ環１００を含み、押さえ環１００を収容する鏡筒２０をさらに含む。
【００２０】
上述した各実施形態は、本発明を実現するための具体的な実施例であり、当業者にとって、実際の応用では、本発明の趣旨を逸脱しない範囲で形式や詳細を各種の改良を行うことが可能であると理解されるべきである。
【図１】
2020021067.tif 000003
【図２】
2020021067.tif 000004
【図３】
2020021067.tif 000005